(57)【要約】【課題】  大切な書籍等に汚すことなく、気になる箇所を瞬時に確認できるアンダーライン用テープおよびテープ保持具を提供する。【解決手段】  本発明のアンダーライン用テープ２０は、一方の面に形成され被着体に貼りつけられたときにアンダーラインとなるアンダーラインテープ本体２１と、他方の面に形成され粘着材料が塗布された粘着層２２と、を有する。この構成によれば、書籍の目的の箇所にアンダーライン用テープを貼り付けることにより、気になる箇所を一目で見つけることができる。また、必要が無くなった場合にはアンダーラインテープを簡単に外すことができるため、大切な書籍等を汚すこともない。【選択図】図９
2011126246.tif 000002
【特許請求の範囲】
【請求項１】
アンダーライン用テープであって、
一方の面に形成され被着体に貼りつけられたときにアンダーラインとなるアンダーラインテープ本体と、
他方の面に形成され粘着材料が塗布された粘着層と、
を有することを特徴とするアンダーライン用テープ。
【請求項２】
前記粘着層の粘着力が３ｇｆ以上５０ｇｆ以下であることを特徴とする請求項１に記載のアンダーライン用テープ。
【請求項３】
前記粘着層の粘着力が５ｇｆ以上３０ｇｆ以下であることを特徴とする請求項１または請求項２に記載のアンダーライン用テープ。
【請求項４】
前記アンダーライン領域の短手方向の少なくとも一方に設けられ、前記被着体に貼り付けられたときに前記被着体の内容を透過可能な透過領域をさらに有することを特徴とする請求項１から請求項３のいずれかに記載のアンダーライン用テープ。
【請求項５】
予め定められた所定間隔毎に形成されたミシン目を有することを特徴とする請求項１から請求項４のいずれかに記載のアンダーライン用テープ。
【請求項６】
請求項１〜請求項５のいずれか一項に記載のアンダーライン用テープを保持する保持部と、
前記アンダーライン用テープのうち被着体に貼り付けるテープ部分を前記被着体に向けて所定の押圧力で押圧する押圧部と、
を備えることを特徴とするテープ保持具。
【請求項７】
前記被着体に貼り付けられたテープを切断する切断部をさらに備え、
前記押圧部は、曲面形状に形成されており、
前記切断部は、前記曲面形状に形成された押圧部の先端部分であって、所定の角度回転させたときに前記アンダーライン用テープに接する位置に配置されていることを特徴とする請求項６に記載のテープ保持具。
【請求項８】
前記テープ保持具の筐体に設けられ、前記アンダーライン用テープを前記被着体に対してまっすぐに貼り付けるための目印を有することを特徴とする請求項６または請求項７に記載のテープ保持具。
【発明の詳細な説明】
【技術分野】
【０００１】
本発明は、アンダーライン用テープおよびテープ保持具に関する。
【背景技術】
【０００２】
従来、書籍等に気になる部分があった場合、書籍に付箋を貼って気になるページに印を付けて、次にそのページを探しやすくするようにしていた。しかし、付箋では、付箋を付けたページ中のどの個所が重要な個所であったかを瞬時に把握することができない。
【０００３】
そこで、書籍中の気になる部分が有った場合、その気になる箇所にマーキングすることができる筆記具が提案されている。しかし、この従来技術では、一度蛍光ペンによってマーキングしてしまうと、このマーキングした部分を消すことができない。このため、大切な書籍等にマーキングをすることができないという問題がある。
【０００４】
このような問題を解決する従来技術として、一度マーキングした後に消去用のペンによってマーキングした箇所を消去するものが提案されている（特許文献１）。
【先行技術文献】
【特許文献】
【０００５】
【特許文献１】特開２０００−３５５１９１号公報
【発明の開示】
【発明が解決しようとする課題】
【０００６】
しかしながら、上記特許文献１のように、一度マーキングをした後に、消去用のペンで消す場合、完全には消去することができず、大切な書籍を汚してしまうという問題があった。このため、大切な書籍には使用することができなかった。
【０００７】
そこで、本発明は、上記問題点に鑑みなされたものであり、大切な書籍等に汚すことなく、気になる箇所を瞬時に確認できるアンダーライン用テープおよびテープ保持具を提供することを目的とする。
【課題を解決するための手段】
【０００８】
上記課題を解決するために、本発明のアンダーライン用テープは、一方の面に形成され被着体に貼りつけられたときにアンダーラインとなるアンダーラインテープ本体と、他方の面に形成され粘着材料が塗布された粘着層と、を有することを特徴とする。
【０００９】
本発明によれば、書籍の目的の箇所にアンダーライン用テープを貼り付けることにより、気になる箇所を一目で見つけることができる。また、必要が無くなった場合にはアンダーライン用テープを簡単に外すことができるため、大切な書籍等を汚すこともない。また、本発明のアンダーライン用テープは付箋としても利用することができるため、例えば、アンダーライン用テープの端部を書籍からはみ出すようにカットしておくことで、書籍を閉じた状態からそのはみ出した部分を使ってアンダーライン用テープが引かれた目的の箇所を簡単に見つけることができる。
【００１０】
上記発明において、前記粘着層の粘着力が３ｇｆ以上５０ｇｆ以下であることを特徴とする。
【００１１】
好ましくは、上記発明において、前記粘着層の粘着力が５ｇｆ以上３０ｇｆ以下であることを特徴とする。
【００１２】
上記発明において、前記アンダーライン領域の短手方向の少なくとも一方に設けられ、前記被着体に貼り付けられたときに前記被着体の内容を透過可能な透過領域をさらに有する。本発明によれば、透過領域が書籍等の文字上に貼り付けられた場合でも、文字等を透過領域上から確認することができる。
【００１３】
上記発明において、予め定められた所定間隔毎に形成されたミシン目を有することを特徴とする。本発明によれば、ミシン目に沿ってアンダーライン用テープをカットすることができる。
【００１４】
本発明のテープ保持具は、上記アンダーライン用テープを保持する保持部と、  前記アンダーライン用テープのうち被着体に貼り付けるテープ部分を前記被着体に向けて所定の押圧力で押圧する押圧部と、を備える。本発明によれば、貼り付けるテープ部分を押圧部によって押圧することで目的の箇所にきちんとアンダーライン用テープを貼り付けることができる。
【００１５】
また、上記発明において、前記押圧部より前記被着体側に設けられ、前記被着体に貼り付けられたテープを切断する切断部をさらに備え、前記押圧部は、曲面形状に形成されており、前記切断部は、前記曲面形状に形成された押圧部の先端部分であって、所定の角度回転させたときに前記アンダーライン用テープに接する位置に配置されている。本発明によれば、アンダーライン用テープを押圧部で押しながら、カットしたい場合には所定の角度回転させることにより切断部がアンダーライン用テープに当接させてカットすることができる。このため、アンダーライン用テープの切断までを一連の動作流れの中で行うことができる。
【００１６】
上記発明において、前記テープ保持具の筐体に設けられ、前記アンダーライン用テープを前記被着体に対してまっすぐに貼り付けるための目印を有することを特徴とする。本発明によれば、利用者は、目印を頼りにしてアンダーライン用テープを被着体に対してまっすぐに貼り付けることができる。
【発明の効果】
【００１７】
本発明によれば、大切な書籍等に汚すことなく、気になる箇所を瞬時に確認できるアンダーライン用テープおよびテープ保持具を提供することができる。
【図面の簡単な説明】
【００１８】
【図１】本発明の実施形態に係るテープ保持具を説明する図である。
【図２】本発明の実施形態に係るテープ保持具の押圧状態を説明する図である。
【図３】本発明の実施形態に係るテープ保持具においてアンダーライン用テープを切断する状態を説明する図である。
【図４】本発明の実施形態に係るテープ保持具を上から見た状態を示す図である。
【図５】本発明の実施形態に係るアンダーライン用テープを横から見た状態を示す図である。
【図６】本発明の実施形態に係るアンダーライン用テープの粘着力について説明する図である。
【図７】図６をチャート化したものであって、（ａ）はセロハンテープ１、（ｂ）はセロハンテープ２、（ｃ）はアンダーライン用テープ１のチャートをそれぞれ示す。
【図８】図６をチャート化したものであって、（ａ）はアンダーライン用テープ２、（ｂ）は付箋紙１、（ｃ）は付箋紙２のチャートをそれぞれ示す。
【図９】（ａ）は、アンダーライン用テープの使用状態を説明する図、（ｂ）は行間が狭い場合のアンダーライン用テープが文字等にかかってしまう状態を説明する図、（ｃ）は本発明の他の実施形態に係るアンダーライン用テープの使用状態を説明する図である。
【図１０】本発明の他の実施形態に係るアンダーライン用テープを説明する図であって、図４の対応図である。
【図１１】本発明の実施形態に係るアンダーライン用テープを付箋として利用する例を示す図である。
【発明を実施するための最良の形態】
【００１９】
以下、本発明の最良の実施形態について、添付図面を参照しつつ説明する。
【００２０】
以下、本発明の実施の形態を図面に基づいて説明する。図１は、本発明の実施形態に係るテープ保持具を説明する図である。
【００２１】
図１に示すように、テープ保持具１０は、筺体１１と保持部１２と押圧部１３と切断部１４とを有する。筺体１１、保持部１２、押圧部１３、切断部１４は例えば樹脂によって一体的に形成されている。
【００２２】
保持部１２は、外周が円柱形状に形成されており、この円柱形状の外周部にアンダーライン用テープ２０の内周部を掛けることによってアンダーライン用テープ２０を保持する。アンダーライン用テープ２０の先端は、開口１１ａからテープ保持具１０の外に出る。
【００２３】
押圧部１３は、アンダーライン用テープ２０のうち被着体に貼り付けるテープ部分２０ａを書籍（被着体）３０に向けて所定の押圧力で押圧するものである。押圧部１３は、曲面形状に形成されている。切断部１４は、例えばのこぎり状の刃が形成されており、曲面形状に形成された押圧部１３の先端部分であって、所定の角度回転させたときにアンダーライン用テープ２０に接する位置に配置されている。したがって、利用者がテープ保持具１０を持ってアンダーライン用テープ２０を書籍３０に貼り付けている状態では、切断部１４はアンダーライン用テープ２０には接しないようになっている。切断部１４は例えば金属等で構成されていてもよい。
【００２４】
図２は、本発明の実施形態に係るテープ保持具の押圧状態を説明する図である。図３は、本発明の実施形態に係るテープ保持具においてアンダーライン用テープを切断する状態を説明する図である。
【００２５】
図２に示すように、利用者はテープ保持具１０を所定の角度傾けて、押圧部１３によって、アンダーライン用テープ２０を書籍３０に貼り付ける。次に、図３に示すように、利用者はさらにＡ方向にテープ保持具１０を傾けていき、切断部１４がアンダーライン用テープ２０に当接する位置までテープ保持具１０を傾ける。次に、利用者は、切断部１４の先端をアンダーライン用テープ２０に強く押し付けることによって、アンダーライン用テープ２０を切断することができる。これによって、書籍３０の気になる箇所にアンダーライン用テープ２０を貼り付けることができる。
【００２６】
図４は、本発明の実施形態に係るテープ保持具を上から見た状態を示す図である。図４に示すように、テープ保持具１０の先端には、押圧部１３が出ており、その先端部分には、切断部１４が設けられている。また、アンダーライン用テープ２０には、予め定められた所定間隔毎にミシン目２５が形成されている。
【００２７】
図５は、本発明の実施形態に係るアンダーライン用テープを横から見た状態を示す図である。図５に示すように、アンダーライン用テープ２０の一方の面には、書籍３０に貼りつけられたときにアンダーラインとなるアンダーラインテープ本体２２が形成されている。また、アンダーライン用テープ２０の他方の面には、粘着材料が塗布された粘着層２１が形成されている。アンダーラインテープ本体２２は、布、樹脂、紙等からなる基材シートによって構成されている。
【００２８】
図６は、本発明の実施形態に係るアンダーライン用テープの粘着力について説明する図である。図６では、比較のため、セロハンテープと本発明のアンダーライン用テープと付箋紙についてそれぞれ２つずつ試験した。図７は図６をチャート化したものであって、（ａ）はセロハンテープ１、（ｂ）はセロハンテープ２、（ｃ）はアンダーライン用テープ１のチャートをそれぞれ示す。図８も図６をチャート化したものであって、（ａ）はアンダーライン用テープ２、（ｂ）は付箋紙１、（ｃ）は付箋紙２のチャートをそれぞれ示す。
【００２９】
ここでは、ＪＩＳ  Ｚ０２３７に準拠した方法で粘着力を測定した。この試験において、テープの伸びは無視し、引張試験機の変位（引張長さ）の１／２をテープのはがし長さとした。付箋紙は、紙が大きく湾曲しながら剥がれるため、１８０°にはならない。湾曲の曲率が急に変化するとき、チャート上で荷重のピークが現れる。
【００３０】
アンダーライン用テープ２０としては、付箋紙１、２の粘着力では弱いためそれ以上の荷重が必要であり、セロハンテープ１、２の粘着力よりかなり低い値となる。セロハンテープの粘着力が最低値５９．２（平均７６．７）ｇｆ、アンダーライン用テープ２０が１９．９〜３２．８（平均２６．９）ｇｆとなる。
付箋紙の粘着力が最高値２．９（平均１．８）ｇｆになるので、アンダーライン用テープ２０の粘着層２１の粘着力は、５０ｇｆ以下であり、３ｇｆ以上、おおよそ５ｇｆ〜３０ｇｆが好ましい。
【００３１】
次に、本発明の他の実施形態に係るアンダーライン用テープについて説明する。図９（ａ）は、アンダーライン用テープの使用状態を説明する図、（ｂ）は行間が狭い場合のアンダーライン用テープが文字等にかかってしまう状態を説明する図、（ｃ）は本発明の他の実施形態に係るアンダーライン用テープの使用状態を説明する図である。
【００３２】
図９（ａ）に示すように、上述したアンダーライン用テープ２０を書籍３０の文字列３０ａ、３０ｂに貼り付けることによって、利用者は、気になる箇所を簡単に見つけることができる。しかし、同図（ｂ）に示すように、書籍３０の文字列３０ａ、３０ｂの行間が狭い場合には、アンダーライン用テープ２０が文字にかかってしまう。これによって場合には、文字等をきちんと確認することができない場合が生じてしまう。
【００３３】
そこで、同図（ｃ）に示すように、アンダーライン用テープ４０をアンダーラインテープ本体４１と、このアンダーラインテープ本体４１の短手方向に設けられた透明領域４２とによって構成する。この構成によって、透明領域４２が文字３０ａにかかった場合でも、きちんと文字を確認することができる。
【００３４】
図１０は、本発明の他の実施形態に係るアンダーライン用テープを説明する図であって、図４の対応図である。図１０ではテープ保持具１０を上から見ている。図１０に示すように、アンダーライン用テープ４０には、書籍３０に貼りつけられたときにアンダーラインとなるアンダーラインテープ本体４１が形成されている。
【００３５】
アンダーラインテープ本体４１の短手方向の上側には、書籍に貼り付けられたときに書籍３０の内容（文字等）を透過可能な透過領域４２がさらに設けられている。なお、ここでは、透過領域２３をアンダーラインテープ本体４２の上側に設ける場合の例について説明したが、この透明領域を上下両方に設けるようにしてもよい。
【００３６】
さらに、図１０の例では、切断部１４の一部に目印５０が設けられている。この目印５０は、テープ保持具１０の筐体１１に設けられ、アンダーライン用テープ２０を書籍３０に対してまっすぐに貼り付けるためのものである。この構成によって、利用者は、目印を頼りにしてアンダーライン用テープ２０を書籍３０に対してまっすぐに貼り付けることができる。
【００３７】
図１１は、本発明のアンダーライン用テープを付箋として利用する例を示す図である。図１１に示すように、アンダーラインテープ２０の端部２０ａを書籍３０の端３０ａからはみ出すようにカットする。このはみ出し部分によって、書籍３０を閉じた状態から利用者の気になる箇所をすぐに開くことができる。このようにしてアンダーライン用テープは付箋としての機能も果たすことができる。
【００３８】
上記実施形態によれば、書籍３０の目的の箇所にアンダーライン用テープ２０を貼り付けることにより、気になる箇所を一目で見つけることができる。また、必要が無くなった場合にはアンダーラインテープ２０を簡単に外すことができるため、大切な書籍等を汚すこともない。また、アンダーライン用テープに透過領域４２を設けることにより、透過領域４２によってアンダーライン用テープが書籍等の文字上に貼り付けられた場合でも、文字等を透過領域４２上から確認することができる。また、ミシン目２５に沿ってアンダーライン用テープを簡単にカットすることができる。
【００３９】
また、書籍に貼り付けるテープ部分２０ａを押圧部１３によって押圧することで目的の箇所にきちんとアンダーライン用テープを貼り付けることができる。さらに、アンダーライン用テープを押圧部１３で押しながら、カットしたい場合には所定の角度回転させる（傾ける）ことにより切断部１４がアンダーライン用テープ２０に当接させてカットすることができる。このため、アンダーライン用テープ２０の貼り付けから切断までを一連の動作流れの中で行うことができる。
【００４０】
以上、本発明の好ましい実施例について詳述したが、本発明は上述した実施例に限定されるものではなく、特許請求の範囲に記載された本発明の要旨の範囲内において、種々の変形、変更が可能である。
【符号の説明】
【００４１】
１０  テープ保持具
１１  筺体
１２  保持部
１３  押圧部
１４  切断部
２０  アンダーライン用テープ
２１  粘着層
２２  アンダーラインテープ本体
２５  ミシン目
【図１】
2011126246.tif 000003
【図２】
2011126246.tif 000004
【図３】
2011126246.tif 000005
【図４】
2011126246.tif 000006
【図５】
2011126246.tif 000007
【図６】
2011126246.tif 000008
【図７】
2011126246.tif 000009
【図８】
2011126246.tif 000010
【図９】
2011126246.tif 000011
【図１０】
2011126246.tif 000012
【図１１】
2011126246.tif 000013